(57)【要約】【課題】表示具等を備えたワイヤーを回転可能でかつ容易に抜けないように支持させることができるワイヤーホルダーを提供すること。【解決手段】表示具等を備えたワイヤー２を略垂直にかつ回転可能に保持するワイヤーホルダー１において、このワイヤーホルダー１にはワイヤー２が挿通可能な大小２つの径を有する貫通孔１ａ，１ｂが形成され、大径側貫通孔１ａにはワイヤー２の端部に形成した折曲片２ａを保持する掛け止め手段が設けられ、小径側貫通孔１ｂは折曲片を変形させなければ通過できない径で形成されている。【選択図】　図３
2004129935.tif 000002
【特許請求の範囲】
【請求項１】
表示具等を備えたワイヤーを略垂直にかつ回転可能に保持するワイヤーホルダーであって、前記ワイヤーホルダーには前記ワイヤーが挿通可能な大小２つの径を有する貫通孔が形成され、大径側貫通孔にワイヤーの端部に形成した折曲片を保持する掛け止め手段が設けられ、小径側貫通孔は前記折曲片を変形させなければ通過できない径で形成されていることを特徴とするワイヤーホルダー。
【請求項２】
前記掛け止め手段は、前記ワイヤーの折曲片先端部が係止可能な前記大径側貫通孔に形成した環状溝と、該折曲片の折曲部と接する大径側貫通孔側壁とで構成されている請求項１に記載のワイヤーホルダー。
【請求項３】
前記掛け止め手段は、前記ワイヤーの折曲片先端部が係止可能な前記大径側貫通孔に形成した環状突部と、該折曲片と接する大径側貫通孔側壁とで構成されている請求項１に記載のワイヤーホルダー。
【請求項４】
前記ワイヤーホルダーの底部は、基台或いは基台に固定可能な保持体の継手部と嵌入可能な継手部が構成されている請求項１ないし３の何れかに記載のワイヤーホルダー。
【請求項５】
前記ワイヤーホルダー側の継手部が別部品で構成されてワイヤーホルダー本体に着脱自在に取り付けられている請求項４に記載のワイヤーホルダー。
【発明の詳細な説明】
【０００１】
【発明の属する技術分野】
本発明は、表示具等を備えたワイヤーを略垂直にかつ回転可能に保持するワイヤーホルダーに関する。
【０００２】
【従来の技術】
従来、ワイヤーの先端部近傍に値札や商品名等を掲示した表示具を備え、ワイヤーの基部をワイヤーホルダーで支持してワイヤーを略垂直に保持したものが知られている。そして、このワイヤーとワイヤーホルダーとの接続はワイヤーホルダーにワイヤー用挿入孔を設け、ワイヤーの基部をこの挿入孔に嵌入した後、接着剤で固定することが一般的に行われていた。しかしながら、接着剤でワイヤーをホルダーに固定してしまうと、表示具の向きを変えようとするとき、ワイヤーだけを回転させることが出来ず、不便であった。
【０００３】
それ故、ワイヤーの向きを変えることが出来るワイヤーホルダーとして支持台側に挿入用角穴を設け、この挿入用角穴に対して挿脱可能な挿入角端部をワイヤー基部に設けたもの（特許文献１参照）が知られている。また、ワイヤーホルダーに円柱形凹部を形成し、ここに表示具を備えたワイヤー端部の円柱形部材を２つはめ込んで円柱形凹部内で回転できるようにしたもの（特許文献２参照）が公知である。
【０００４】
【特許文献１】
特開２０００−６０６９８号公報（第２−３頁、図１）
【特許文献２】
特開平１０−２９０７３２号公報（第３−４頁、図４）
【０００５】
【発明が解決しようとする課題】
しかしながら、上述した特許文献１に記載の従来のワイヤーホルダーは角穴に挿脱する構造であるため、ある決められた角度でしか回転できず微細な角度調整には不向きであるだけでなく、ワイヤー自体が抜けやすかった。一方、特許文献２に記載のワイヤーホルダーは、ワイヤーが抜けにくい反面、２本のワイヤーで１セットとなっているため、１本だけのワイヤーで表示するものには適さなかった。
【０００６】
本発明は、このような問題点に着目してなされたもので、表示具等を備えたワイヤーを回転可能でかつ容易に抜けないように支持させることができるワイヤーホルダーを提供することを目的とする。
【０００７】
【課題を解決するための手段】
上記課題を解決するために、本発明のワイヤーホルダーは、表示具等を備えたワイヤーを略垂直にかつ回転可能に保持するワイヤーホルダーであって、前記ワイヤーホルダーには前記ワイヤーが挿通可能な大小２つの径を有する貫通孔が形成され、大径側貫通孔にワイヤーの端部に形成した折曲片を保持する掛け止め手段が設けられ、小径側貫通孔は前記折曲片を変形させなければ通過できない径で形成されていること特徴としている。
この特徴によれば、ワイヤーは掛け止め手段によってその位置が保持され、万一引き抜き力が作用しても、ワイヤーの端部の折曲片が小径側貫通孔に引っ掛かって抜け出ることはなく、しかも接着剤等でワイヤーをワイヤーホルダーに固着していないのでワイヤーの回転も可能である。
【０００８】
本発明のワイヤーホルダーにおいて、前記掛け止め手段は、前記ワイヤーの折曲片先端部が係止可能な前記大径側貫通孔に形成した環状溝と、該折曲片の折曲部と接する大径側貫通孔側壁とで構成されていることが好ましい。
このようにすれば、折曲片のワイヤーホルダーに対する接触部が主として環状溝と大径側貫通孔側壁とに限られているので、ワイヤー回転時の抵抗が小さい。
【０００９】
本発明のワイヤーホルダーにおいて、前記掛け止め手段は、前記ワイヤーの折曲片先端部が係止可能な前記大径側貫通孔に形成した環状突部と、該折曲片と接する大径側貫通孔側壁とで構成されていることが好ましい。
このようにすれば、折曲片のワイヤーホルダーに対する接触部が主として環状突部と大径側貫通孔側壁とに限られているので、ワイヤー回転時の抵抗が小さい。
【００１０】
本発明のワイヤーホルダーにおいて、前記ワイヤーホルダーの底部は、基台或いは基台に固定可能な保持体の継手部と嵌入可能な継手構造に構成されていることが好ましい。
このようにすれば、例えば基台或いは基台に固定可能な保持体にボールジョイントの一方側を形成しておけば、ワイヤーホルダーはボールジョイントの他方側を形成しておくことで、ワイヤーホルダーが容易に取り付けられる。
【００１１】
本発明のワイヤーホルダーは、前記ワイヤーホルダー側の継手部が別部品で構成されてワイヤーホルダー本体に着脱自在に取り付けられていることが好ましい。
このようにすれば、基台或いは基台に保持した保持体の継手構造に合わせてワイヤーホルダー側の継手部を各種用意することで、ワイヤーホルダー本体を共通して使用できる。
【００１２】
【発明の実施の形態】
以下、本発明の実施例を図面に基づいて説明する。
【００１３】
図１〜図３は、本発明の第１実施形態を示すもので、図１は本発明に係るワイヤーホルダーの使用例を示すもので、（ａ）は掴みクリップにワイヤーホルダーを取り付けた部分断面正面図であり、（ｂ）は吸盤にワイヤーホルダーを取り付けた正面図であり、図２はワイヤーホルダーの構成部品図であり、（ａ）はワイヤーホルダーの断面図、（ｂ）はワイヤーの側面図であり、図３はワイヤーホルダーにワイヤーを取り付ける際の取付け説明図である。
【００１４】
図１（ａ）において、符号１はワイヤーホルダーを示し、先端部近傍に定価、商品名等を記した表示具４を備えたワイヤー２を略垂直に、かつ回転可能に保持している。
【００１５】
ワイヤーホルダー１の底面は、掴みクリップ５の二股操作部の一方５ａに形成されているボールジョイント６の球状継手部５Ａと嵌合可能な継手構造を成す球状凹部３Ａが形成されている。掴みクリップ５の先端部５ｂは、ショーケースやカウンター等のディスプレイ７側に固定される。
【００１６】
一方図１（ｂ）に示すワイヤーホルダー１３は図１（ａ）のワイヤーホルダー１と同様にワイヤー１２を略垂直に、かつ回転可能に保持している。ワイヤーホルダー１３の底部はディスプレイ側に吸着した吸盤１５の上部嵌合穴１５ａに挿入されている。図１（ａ）と（ｂ）の相違は、ワイヤーホルダーを支える基台に固定できる保持体が、（ａ）は掴みクリップ５であり、（ｂ）が吸盤１５であることである。保持体としてはこれらのものに限らず、基台に固定できるものであればどのような構成のものであってもよい。
【００１７】
次に、図２に基づいてワイヤーホルダー１とワイヤー２について説明する。図２（ａ）に示すように、ワイヤーホルダー１は樹脂で一体成形されたもので、ボールジョイントとの球状継手部と嵌合可能な球状凹部１Ａが底部に形成されるとともに、中心に大小２つの貫通孔１ａ，１ｂが形成されている。
【００１８】
球状凹部１Ａは球状継手部と嵌合しやすいように周囲が一部切り欠かれた切欠き溝１ａ’が形成されている。また大径側貫通孔１ａの下方部には、図２（ｂ）に示すワイヤー２の折曲片２ａの先端部が係止できる環状溝１ｃが形成されている。
【００１９】
図３は、ワイヤーホルダー１にワイヤー２を略垂直にかつ回転可能に保持する組み付け説明図で、ワイヤー２は一点鎖線で示すように、先端部２ｂをワイヤーホルダー１の球状凹部１Ａ側から大小径２つの貫通孔１ａ，１ｂを挿通し折曲片２ａの先端部Ｘが環状溝１ｃに嵌入するまで引き上げる。
【００２０】
ワイヤー２の先端部Ｘが環状溝１ｃに嵌入すると、折曲片２ａの折曲部Ｙは大径側貫通孔１ａの側壁と当接するとともに、折曲部Ｙの上方部は小径側貫通孔１ｂとＺで当接してワイヤー２は略垂直状に保持されることになる。このように、ワイヤー２の折曲片２ａの掛け止め手段は、大径側貫通孔１ａに形成した環状溝１ｃと大径側貫通孔側壁で構成されている。
【００２１】
そして、ワイヤー２はＸ、Ｙ、Ｚの３箇所で接触しているだけであるから、ワイヤーホルダー１に対して回転させることができる。このようにして組み付けることにより、ワイヤー２はワイヤーホルダー１に対して略垂直にかつ回転可能に保持されることになる。
【００２２】
また、万一ワイヤー２に更なる上方への引き抜き力が作用しても、小径側貫通孔１ｂの径が、折曲片２ａを変形させなければ通過できないように小さく設定されているので抜け出ることはない。
【００２３】
次に、本発明の第２実施形態を示すワイヤーホルダーについて図４により説明する。図４は第２実施形態に係るワイヤーホルダーの部分断面図であり、ワイヤーホルダー１６の底部構造が前述の第１実施形態におけるワイヤーホルダー１と異なっている。
【００２４】
このワイヤーホルダー１６はボールジョイントの球状凹部に嵌合可能なボール状の球状継手部が形成されており、２つの大小径貫通孔１６ａ、１６ｂや環状溝１６ｃは第１実施形態のものと同じである。このように構成することで、基台に固定されている保持部材のボールジョイントが球状凹部であっても対応できる。
【００２５】
図５は本発明の第３実施形態を示すワイヤーホルダーの部分断面図であり、ワイヤー２０の折曲片２０ａの掛け止め手段とワイヤーホルダー２１の構造が第１，及び第２実施形態のものと異なっている。
【００２６】
ワイヤー２０の折曲片２０ａの掛け止め手段は、大径側貫通孔２１ａに突出した環状突部２１ｃと大径側貫通孔側壁で構成されている。また、ワイヤー２０はＸ、Ｙ、Ｚの３箇所でワイヤーホルダー本体２１Ａに接触しているだけであるから、ワイヤーホルダー２１に対して回転させることができる。
【００２７】
一方、ワイヤーホルダー２１はワイヤーホルダー本体２１Ａと、この本体と別部品で構成された継手部材２１Ｂから成り、この継手部材２１Ｂはワイヤーホルダー本体２１Ａと嵌入とか螺合等の手段により着脱可能に取り付けられている。したがって、基台に固定された保持体の継手構造に合わせて継手部材２１Ｂを各種用意することで、ワイヤーホルダー本体２１Ａを共用部品として用いることができる。
【００２８】
以上、本発明の実施例を図面により説明してきたが、具体的な構成はこれら実施例に限られるものではなく、例えばワイヤーの折曲片は必ずしも直線状である必要はなく、曲線状のものであってもよい。また第３実施形態で用いた環状突部２１ｃはワイヤーホルダー本体２１Ａと一体に形成せずに、リング体等を大径側貫通孔２１ａに差し込んで係止するようにしてもよい。
【００２９】
【発明の効果】
本発明によれば、次のような効果が得られる。
【００３０】
（ａ）請求項１に記載の発明によれば、ワイヤーは掛け止め手段によってその位置が保持され、万一引き抜き力が作用しても、ワイヤーの端部の折曲片が小径側貫通孔に引っ掛かって抜け出ることはなく、しかも接着剤等でワイヤーをワイヤーホルダーに固着していないのでワイヤーの回転も可能である。
【００３１】
（ｂ）請求項２に記載の発明によれば、折曲片のワイヤーホルダーに対する接触部が主として環状溝と大径側貫通孔側壁とに限られているので、ワイヤー回転時の抵抗が小さい。
【００３２】
（ｃ）請求項３に記載の発明によれば、折曲片のワイヤーホルダーに対する接触部が主として環状突部と大径側貫通孔側壁とに限られているので、ワイヤー回転時の抵抗が小さい。
【００３３】
（ｄ）請求項４に記載の発明によれば、例えば基台或いは基台に固定可能な保持体にボールジョイントの一方側を形成しておけば、ワイヤーホルダーはボールジョイントの他方側を形成しておくことで、ワイヤーホルダーが容易に取り付けられる。
【００３４】
（ｅ）請求項５に記載の発明によれば、基台或いは基台に保持した保持体の継手構造に合わせてワイヤーホルダー側の継手部を各種用意することで、ワイヤーホルダー本体を共通して使用できる。
【図面の簡単な説明】
【図１】本発明に係るワイヤーホルダーの使用例を示すもので、（ａ）は掴みクリップにワイヤーホルダーを取り付けた部分断面正面図であり、（ｂ）は吸盤にワイヤーホルダーを取り付けた正面図である。
【図２】ワイヤーホルダーの構成部品図であり、（ａ）はワイヤーホルダーの断面図、（ｂ）はワイヤーの側面図である。
【図３】ワイヤーホルダーにワイヤーを取り付ける際の取付け説明図である。
【図４】第２実施形態に係るワイヤーホルダーの部分断面図である。
【図５】本発明の第３実施形態を示すワイヤーホルダーの部分断面図である。
【符号の説明】
１　　　　　　　　　　　ワイヤーホルダー
１Ａ　　　　　　　　　球状凹部
１ａ　　　　　　　　　大径側貫通孔
１ａ’　　　　　　　　切欠き溝
１ｂ　　　　　　　　　小径側貫通孔
１ｃ　　　　　　　　　環状溝
２　　　　　　　　　　　ワイヤー
２ａ　　　　　　　　　折曲片
２ｂ　　　　　　　　　先端部
４　　　　　　　　　　　表示具
５　　　　　　　　　　　掴みクリップ
５Ａ　　　　　　　　　球状継手部
５ａ　　　　　　　　　二股操作部の一方
５ｂ　　　　　　　　　先端部
６　　　　　　　　　　　ボールジョイント
７　　　　　　　　　　　ディスプレイ
１２　　　　　　　　　　ワイヤー
１３　　　　　　　　　　ワイヤーホルダー
１５　　　　　　　　　　吸盤
１５ａ　　　　　　　　上部嵌合穴
１６　　　　　　　　　　ワイヤーホルダー
１６ａ　　　　　　　　大径側貫通孔
１６ｂ　　　　　　　　小径側貫通孔
１６ｃ　　　　　　　　環状溝
２０　　　　　　　　　　ワイヤー
２０ａ　　　　　　　　折曲片
２１　　　　　　　　　　ワイヤーホルダー
２１Ａ　　　　　　　　ワイヤーホルダー本体
２１Ｂ　　　　　　　　継手部材
２１ａ　　　　　　　　大径側貫通孔
２１ｃ　　　　　　　　環状突部
【図１】
2004129935.tif 000003
【図２】
2004129935.tif 000004
【図３】
2004129935.tif 000005
【図４】
2004129935.tif 000006
【図５】
2004129935.tif 000007